(57)【要約】      （修正有）【課題】局所的、あるいは、急激な圧力変動が起きた場合であっても各層における増圧給水システムが安定した給水を行う。【解決手段】低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系運転する。【選択図】図１
2010174521.tif 000002
【特許請求の範囲】
【請求項１】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系運転するようにしたことを特徴とする中高層建物用増圧給水システム。
【請求項２】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系運転を行い、当該層より下位層で水の使用がなくてもここに設置されている各増圧給水システムは運転を継続するようにしたことを特徴とする中高層建物用増圧給水システム。
【請求項３】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転する前に、前段の増圧給水システムに運転信号を発信して運転し、続いて自身が運転しこれによって連系運転するようにしたことを特徴とする中高層建物用増圧給水システム。
【請求項４】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系運転を行い、当該層より下位層で水の使用がなくてもここに設置されている各増圧給水システムは運転を継続し、前記上層の増圧給水システムが停止したら下位層の増圧給水システムが停止するようにしたことを特徴とする中高層建物用増圧給水システム。
【請求項５】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系運転を行い、当該層より下位層で水の使用がなくてもここに設置されている各増圧給水システムは運転を継続し、前記上層の増圧給水システムが停止したら下位層の増圧給水システムが停止するようにしたことを特徴とする中高層建物用増圧給水システム。
【請求項６】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、低層ゾーンより上層で水の使用があった場合は、自身の増圧給水システムが運転する前に、前段の増圧給水システムに運転信号を発信して運転し、続いて自身が運転し、当該層より下位層で水の使用がなくてもここに設置されている各増圧給水システムは運転を継続し、前記上層の増圧給水システムが停止したら下位層の増圧給水システムが停止するようにしたことを特徴とする中高層建物用増圧給水システム。
【請求項７】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、最高位層ゾーンで水の使用があった場合は、自身の増圧給水システムが運転すると共に、前段の増圧給水システムに運転信号を発信して運転させ、前段増圧給水システムは前前段の増圧給水システムに運転信号を発信して運転させ、最高位層ゾーンで水の使用が続いておれば、これより下位層での水の使用がなくても、当該下位層増圧給水システムは運転を継続し、下位層増圧給水システムは直上位層の層増圧給水システムが停止したら停止し、最下位層の増圧給水システムは、最後に停止するよう連系運転するようにしたことを特徴とする中高層建物用増圧給水システム。
【請求項８】
中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する手段を設け、最高位層ゾーンで水の使用があった場合は、自身の増圧給水システムは、前段の増圧給水システムに運転信号を発信し、前段の増圧給水システムは前前段の増圧給水システムに運転信号を発信し、最下位から最上位へと順番に運転させてゆき、最高位層ゾーンで水の使用が続いておれば、これより下位層での水の使用がなくても、当該下位層増圧給水システムは運転を継続し、下位層増圧給水システムは直上位層の層増圧給水システムが停止したら停止し、最下位層の増圧給水システムは、最後に停止するよう連系運転するようにしたことを特徴とする中高層建物用増圧給水システム。
【請求項９】
自身が最下位の増圧給水システムではない場合、自身の始動条件より先に成立する下位増圧給水システムに始動指令を発信する圧力ヘッドパラメータ又はタイマーを設けたことを特徴とする中高層建物用増圧給水システム。
【請求項１０】
低層ゾーンから高層ゾーン用増圧給水システムが複数運転中は、最上位の増圧給水システムは使用量変動に伴う可変速運転を行い、これより下位の増圧給水システムは最高速固定運転を行うことを特徴とする中高層建物用増圧給水システム。
【発明の詳細な説明】
【技術分野】
【０００１】
本発明は、中高層建物用増圧給水システムに関する。
【背景技術】
【０００２】
近年、水道用配水管に直結して給水を行う増圧直結給水方式が広く普及してきている。これらの従来技術として特許文献１〜３に記載された中高層建物用増圧給水システム等がある。
【０００３】
例えば特許文献１の段落(００３１)には「給水対象となる建物が９階建てのビルで、これを１階から３階までの低層ゾーン(低階床群)と、４階から６階までの中層ゾーン(中階床群)、それに７階から９階までの高層ゾーン(高階床群)に分けたこと」が開示され、さらに段落(００３３)には「水道配水管１の水圧を、第１段目の増圧ポンプ４と第２段目の増圧ポンプ４０により２段に増圧して、高層ゾーンの各各階床の水栓１０ｇ、１０ｈ、１０ｉに給水が行なわれるようにしたものであり、このため、制御装置１６０は、第１段目の制御装置１６と同じようにして、圧力センサ１２０、１４０と、流量スイッチ１３０の信号により、増圧ポンプ１４０を可変速制御し、所定の水圧に昇圧された水を水栓１０ｇ、１０ｈ、１０ｉに供給するように、このポンプ４０を運転制御するようになっている。」と開示されている。また、特許文献２や特許文献３にも同様に、低層ゾーンは水道管の圧力で給水を行い、中層ゾーンや高層ゾーンはポンプを用いて給水を行うシステムについて開示されている。
【先行技術文献】
【特許文献】
【０００４】
【特許文献１】特開平７−３３１７１１
【特許文献２】特開２０００−３０３５１５
【特許文献３】特開２０００−３０３５１４
【発明の概要】
【発明が解決しようとする課題】
【０００５】
上記特許文献に記載のシステムは、低層や中層や高層のいずれかにおいて局所的、あるいは、急激な圧力変動が起きた場合については何ら開示されていない。
【０００６】
本発明の目的は上記課題を解決し、局所的、あるいは、急激な圧力変動が起きた場合であっても各層における増圧給水システムが安定した給水を行うようにすることを目的とする。
【課題を解決するための手段】
【０００７】
上記課題を解決するため、本発明の一実施態様では、中高層建物の各層ゾーンに対する給水を、低層ゾーンは水道用配水管に直結した増圧給水システムでまかない、中層ゾーンは前段の低層ゾーン増圧給水システムと直結した給水システムでまかない、高層ゾーンは前段の低層ゾーン増圧給水システムと直結した給水システムでまかなうようにした中高層建物用増圧給水システムにおいて、各増圧給水システム間を運転、停止信号を相互で送受信する。低層ゾーンより上層で水の使用があった場合は、自身の増圧給水システムが運転すると共に、前段の増圧給水システムに運転信号を発信し、これによって連系（連動）運転する。
【０００８】
また、本発明の別の実施態様では、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系（連動）運転を行い、当該層より下位層で水の使用がなくてもここに設置されている各増圧給水システムは運転を継続する。
【０００９】
さらに別の実施態様では、各増圧給水システム間を運転、停止信号を相互で送受信する手段を設け、低層ゾーンより上層で水の使用があった場合は、自身の増圧給水システムが運転する前に、前段の増圧給水システムに運転信号を発信して運転し、続いて自身が運転しこれによって連系（連動）運転するようにする。
【００１０】
さらに別の実施態様では、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系（連動）運転を行い、当該層より下位層で水の使用がなくてもここに設置されている各増圧給水システムは運転を継続し、前記上層の増圧給水システムが停止したら下位層の増圧給水システムが停止するようにする。
【００１１】
さらに別の実施態様では、各増圧給水システム間を運転、停止信号を相互で送受信する手段を設け、低層ゾーンより上層で水の使用があった場合は、自身の増圧給水システムが運転すると共に、前段の増圧給水システムに運転信号を発信し、これによって連系（連動）運転を行い、当該層より下位層で水の使用がなくてもここに設置されている各増圧給水システムは運転を継続し、前記上層の増圧給水システムが停止したら下位層の増圧給水システムが停止するようにする。
【００１２】
さらに別の実施態様では、各増圧給水システム間を運転、停止信号を相互で送受信する手段を設け、低層ゾーンより上層で水の使用があった場合は、自身の増圧給水システムが運転する前に、前段の増圧給水システムに運転信号を発信して運転し、続いて自身が運転し、当該層より下位層で水の使用がなくてもここに設置されている各増圧給水システムは運転を継続し、前記上層の増圧給水システムが停止したら下位層の増圧給水システムが停止するようにする。
【００１３】
さらに別の実施態様では、各増圧給水システム間を運転、停止信号を相互で送受信する手段を設け、最高位層ゾーンで水の使用があった場合は、自身の増圧給水システムが運転すると共に、前段の増圧給水システムに運転信号を発信して運転させ、前段増圧給水システムは前前段の増圧給水システムに運転信号を発信して運転させ、最高位層ゾーンで水の使用が続いておれば、これより下位層での水の使用がなくても、当該下位層増圧給水システムは運転を継続し、下位層増圧給水システムは直上位層の層増圧給水システムが停止したら停止し、最下位層の増圧給水システムは、最後に停止するよう連系（連動）運転するようにする。
【００１４】
さらに別の実施態様では、各増圧給水システム間を運転、停止信号を相互で送受信する手段を設け、最高位層ゾーンで水の使用があった場合は、自身の増圧給水システムは、前段の増圧給水システムに運転信号を発信し、前段の増圧給水システムは前前段の増圧給水システムに運転信号を発信し、最下位から最上位へと順番に運転させてゆき、最高位層ゾーンで水の使用が続いておれば、これより下位層での水の使用がなくても、当該下位層増圧給水システムは運転を継続し、下位層増圧給水システムは直上位層の層増圧給水システムが停止したら停止し、最下位層の増圧給水システムは、最後に停止するよう連系（連動）運転するようにする。
【００１５】
さらに別の実施態様では、自身が最下位の増圧給水システムではない場合、自身の始動条件より先に成立する下位増圧給水システムに始動指令を発信する圧力ヘッドパラメータを設ける。又は始動確認タイマーを設け始動時に計時を開始し低、中、高それぞれに始動タイミングを取るようにする。
【００１６】
さらに別の実施態様では、低層ゾーンから高層ゾーン用増圧給水システムが複数運転中は、最上位の増圧給水システムは使用量変動に伴う可変速運転を行い、これより下位の増圧給水システムは最高速固定運転を行うようにする。
【発明の効果】
【００１７】
本発明の上記手段によれば、局所的、あるいは、急激な圧力変動が起きた場合であっても各層における増圧給水システムが安定した給水を行うようにすることができる。
【図面の簡単な説明】
【００１８】
【図１】中高層建物用増圧給水システムのシステム系統図を説明するための図である。
【図２】低層ゾーンに設置する増圧給水システムを説明するための図である。
【図３】中層、高層ゾーンに設置する増圧給水システムを説明するための図である。
【図４】本実施例の制御回路図である。
【図５】低層ゾーンに設置する増圧給水システムの運転制御、パラメータを示す運転特性図である。
【図６】中層ゾーンに設置する増圧給水システムの運転制御、パラメータを示し運転特性図である。
【図７】高層ゾーンに設置する増圧給水システムの運転制御、パラメータを示し運転特性図である。
【発明を実施するための形態】
【００１９】
以下、本発明の実施形態について図面を用いて説明する。
【実施例１】
【００２０】
本発明の実施例１について図１〜図７を用いて説明する。  
図１は実施例１の中高層建物用増圧給水システムのシステム系統図を説明するための図である。１は水道配水管、４は吸い込み側が水道配水管枝管２と接続された増圧ポンプである。このように増圧ポンプ４は量水計３を介して水道配水管と直結しており、送水管５を介して、低層ゾーン需要端（例えば水栓５ａ、５ｂ、５ｃ）へ給水し、低層ゾーン用増圧給水システムが形成されている。
【００２１】
また６は吸い込み側を前記低層ゾーン用増圧給水システム送水配管５と直結し、送水管７を介して中層ゾーン需要端（例えば水栓７ａ、７ｂ、７ｃ）へ給水する増圧ポンプであって、これにより中層ゾーン用増圧給水システムが形成されている。
【００２２】
さらに８は吸い込み側を前記中層ゾーン用増圧給水システム送水配管７と直結し、送水管９を介して高層ゾーン需要端（例えば水栓９ａ、９ｂ、９ｃ）へ給水する増圧ポンプであって、これにより高層ゾーン用増圧給水システムが形成される。
【００２３】
低層、中層増圧給水システム間は、低層増圧給水システムが運転している状態を示す運転信号Ｓ１１、これのアンサバック信号Ｓ１２と、中層増圧給水システムが運転している状態を示す運転信号Ｓ１３、これのアンサバック信号Ｓ１４とを接続する。また、中層、高層増圧給水システム間は、中層増圧給水システムが運転している状態を示す運転信号Ｓ２１、これのアンサバック信号Ｓ２２と、高層増圧給水システムが運転している状態を示す運転信号Ｓ２３、これのアンサバック信号Ｓ２４とを接続する。このように本実施例においては、これらの信号を相互に送受信し連系運転システムを構築する。なお、これらの信号は通信を用いても良いし、無線でも良い。
【００２４】
図２は低層ゾーンに設置する増圧給水システムを示している。ＣＵ１はこの増圧給水システムの制御装置であり、ＢＰ１１、ＢＰ１２はそれぞれ増圧ポンプ１号、２号を示している。これらの間は動力ケーブルＳ３４、Ｓ３５で結線されおりＢＰ１１及びＢＰ１２は交互に運転する構成となっている。制御装置ＣＵは信号Ｓ１１、Ｓ１２、Ｓ１３、Ｓ１４の送受信を行っている。
【００２５】
また、ＰＳ１１は水道配水管側の圧力ヘッドを検出する圧力センサであり、ここの検出圧力ヘッドに応じた電気信号Ｓ３０が制御装置ＣＵ１に送信される。また同様にＰＳ１２は吐出圧力ヘッド（送水圧力ヘッド）を検出する圧力センサであり、ここの検出圧力ヘッドに応じた電気信号Ｓ３１が制御装置ＣＵ１に送信される。ＦＳ１１、ＦＳ１２はそれぞれ増圧ポンプ１号及び２号の吐出側に設置され、水使用の過少水量状態を検出する流量スイッチであり、これに基づく電気信号Ｓ３２、Ｓ３３が制御装置ＣＵ１に送信される。
【００２６】
Ｔ１は内部に空気を保有する圧力タンクであり、圧力変動防止及び蓄圧を目的に使用される。１１は逆流防止弁であり、増圧給水システム二次側の逆流を阻止し、汚染防止を目的に設置している。そして本実施例においては増圧ポンプ１号、２号と併設設置されるバイパス管１５を備えている。そして、このバイパス管１５は途中に逆止め弁１４を設けられ、増圧ポンプ１号や２号が運転している時は、吐出側より水道配水管側に循環するのを阻止している。また、水道配水管側圧力ヘッドが十分に高い場合は、ポンプを運転せずにバイパス管１５を介して、水道配水管圧を用いて給水が行われる。これにより常にポンプによる給水を行わなくて済むため効率のよい給水を行うことが可能となる。なお、１０−１〜１０−６は仕切弁、１２，１３は逆止め弁である。
【００２７】
図３は中層、高層ゾーンに設置する増圧給水システムを示している。低層ゾーン設置の増圧給水システム図１に対して、必要のない逆流防止弁１１（これら前後の仕切り弁１０−１、１０−２も含む）及びバイパス管１５（逆止め弁１４を含む）を省いている。これ以外についての部品及び構成は同じである。
【００２８】
図４は本実施例の制御回路図を示す。  
ＰＷは電源、ＩＮＶ１、ＩＮＶ２はそれぞれ増圧ポンプ１号及び２号を駆動する可変速駆動装置であり、例えばインバータである。このインバータは、運転指令信号ＳＴＸ１、ＳＴＸ２により始動停止を行い、周波数指令信号ｆｘ１、ｆｘ２により周波数制御を行い、前記した増圧ポンプ１号及び２号用モータＩＭ１、ＩＭ１に可変周波数、可変電圧を供給する。ＣＯＮＳ１、ＣＯＮＳ２はそれぞれオペレータであり、インバータの加速時間や過電流トリップレベル等のパラメータの設定や、単独で運転停止等を指令するものである。ＥＬＢ１、ＥＬＢ２はこれ以降設置のインバータ、モータの漏電保護を行う漏電遮断器である。
【００２９】
ＣＵは制御装置であり、マイクロプロセッサーＣＰＵ、入出力ポートＰＩＯ―１〜ＰＩＯ―５、アナログ入出力ポートＤ／Ａ、メモリーＭ、安定化電源回路ＡＶＲで構成されている。又、増圧給水システムが作動するのに必要なプログラムが前記メモリーＭに格納されている。ＳＳは運転停止スイッチであり、このＳＳがＯＮされることでＡＶＲを介してＣＵに電源が供給される。またＯＦＦとなることで電源断となり運転中であれば停止する。Ｚはリレー駆動手段であり、ＣＰＵのソフト処理によりＰＩＯ−４よりＺにＯＮ．ＯＦＦ信号が出力されてリレーＳＴＸ１、ＳＴＸ２、Ｘ１、Ｘ２が開閉駆動される。
【００３０】
リレーＳＴＸ１、ＳＴＸ２は前述したインバータの運転停止信号であり、リレーＸ１は他の増圧給水システム制御盤に運転信号として、リレーＸ２はアンサバック信号として出力する。中層の場合は低層及び高層に発信することになるため信号は２量必要となる。これ以外は１点でＯＫである。また、他の増圧給水システム制御盤からの運転信号Ｓ１１又はアンサバック信号Ｓ１２の受信は、リレ−Ｘ３、Ｘ４により受信し、これらの信号をＰＩＯ−５より入力する。
【００３１】
また、ＳＷは図５〜図７に示す増圧給水システムの制御パラメータを設定するためのスイッチである。これらの値はＰＩＯ−３より取り込みメモリーに格納処理される。そして、前述した水道の配水管側の圧力ヘッドを検出する圧力センサ及び吐出側圧力ヘッドを検出する圧力センサの信号はアナログポートＡ／Ｄにより取り込まれメモリーに格納処理される。例えば０〜１００ｍに変換されて格納される。
【００３２】
図５は低層ゾーンに設置する増圧給水システムの運転制御、パラメータを示す運転特性図であり、左側が吸い込み側、右側が吐き出し側を示す。吸い込み側は水道の配水管の圧力ヘッドを意味し、ＳＬＬは配水管の圧力ヘッドが低下しポンプを停止させるための圧力ヘッドであり、ＳＬは復帰圧力ヘッドを示す。なお本実施例においてはＳＬＬを７ｍ、ＳＬを１０ｍとしている。またＳＨＨは配水管の圧力ヘッドが十分高く、増圧ポンプを運転せず配水管圧のみで給水するためのパラメータであり、ＳＨは復帰圧力ヘッドを示す。本実施例においてはＳＨＨを右側の吐き出し側所定圧Ｈ０とするか、あるいは、これより若干高く設定している。ＳＨはＳＨＨより数ｍ低く設定している。
【００３３】
吐き出し側は、増圧ポンプの作動を示すためのポンプ性能曲線にこれと関連付けてパラメータを示している。縦軸に全揚程、横軸に吐き出し量（使用最大水量に相当）を表す。  
曲線Ａはインバータ周波数ｆｍａｘ(１００％周波数)でポンプを運転した時のポンプＱ−Ｈ性能曲線である。曲線Ｆは低層ゾーン用増圧給水システムのこのゾーンに増圧ポンプを運転して給水した際の自身及び、送水配管等の抵抗を示す。また、このゾーンへ給水するのに所望な水量が前述した吐き出し量（使用最大水量）Ｑ０であり、所望な圧力ヘッド全揚程Ｈ０である。このＱ０、Ｈ０は設計値であり、これが前述したポンプＱ−Ｈ性能曲線Ａと抵抗曲線Ｆとの交点Ｏに来るよう設計するのが望ましいが、抵抗曲線Ｆ上の交点Ｏより小さくなるよう設計しても良い。
【００３４】
また、曲線Ｂ、Ｃはインバータ周波数をｆ１、ｆｍｉｎ（最低周波数）まで変えてポンプを運転した時のポンプＱ−Ｈ性能である。インバータ周波数は無段階であり、曲線Ａと曲線Ｃとの間にこれに対応した曲線を引くことが可能であるが、説明の便宜上、これらの曲線を代表して曲線Ｂ、Ｃで表している。また、これらは、インバータ周波数をｆ１で運転したときは、ポンプのＱ−Ｈ性能曲線はＢであり、ポンプ吐き出し量はＱ１であり、インバータ周波数をｆｍｉｎで運転したときは、ポンプのＱ−Ｈ性能曲線はＣであり、ポンプ吐き出し量は０であることを意味している。加えて、使用水量が０〜Ｑ０に変化した場合、増圧ポンプは抵抗曲線Ｆ上に沿って、インバータよりｆｍｉｎ〜ｆｍａｘを出力して圧力ヘッドを推定末端圧一定制御と言われる方式により運転制御している。この制御を行う際に、曲線Ｆ上に目標圧力として吐出し量０のときに所望な値をＨ００（インバータ周波数ｆｍｉｎに対応）、吐出量Ｑ０のときに所望な値をＨ０（インバータ周波数ｆｍａｘに対応）を設ける。即ち、曲線ＦのＨ００とＨ０間を直線近似するか、関数として処理するか、あるいは、テーブルとして処理することで用いられる。
【００３５】
ところで、複数のポンプが連動運転した際に最高位層以外は圧力変動抑制のために、吐き出し圧力一定制御方式で運転したほうが望ましい。そこで、吐き出し量０〜Ｑ０まで、ＨＯ一定制御を行った場合には水平線Ｇ上となる。この吐き出し量０のときのインバータ周波数はｆ２でポンプＱ−Ｈ性能曲線はＥであり、Ｈ０一定の水平線Ｇとの交点はＯ１１である。
【００３６】
さらに、ＰＯＮは増圧ポンプの始動圧力ヘッド（大体はＨ００の近くに設定）、ＰＯＦＦは増圧ポンプの停止圧力ヘッド（大体はＰＯＮより高く設定）である。Ｑｍｉｎは水使用が過少水量の場合に増圧ポンプを停止させるための吐き出し量であり、前述した流量検出手段によって検出する。さらに、この状態を検出して、停止させる直前に圧力タンクへの蓄圧を図るためにインバータ周波数をｆｏｆｆまで高めて停止させる。このときのポンプＱ−Ｈ性能曲線がＤであり。停止圧力ヘッドがＰＯＦＦとなる。尚、前述の吸い込み側の制御は、圧力センサＰＳ１１の検出により行い、吐き出し側の制御は圧力センサＰＳ１２の検出により行うものである。
【００３７】
図６は中層ゾーンに設置する増圧給水システムの運転制御、パラメータを示し運転特性図であり、左側が吸い込み側、右側が吐き出し側を示す。左側の吸い込み側は図５に示す、必要のないＳＨＨ、ＳＨを省いている。吐き出し側は図５と同じであるが、設計値のＱ０、Ｈ０が中層ゾーンに給水するのに必要な値となる。
図７は、高層ゾーンに設置する増圧給水システムの運転制御、パラメータを示し運転特性図であり、左側が吸い込み側、右側が吐き出し側を示す。左側の吸い込み側は図６と同じである。吐き出し側は図５から、最高位ゾーンである必要のない吐き出し圧力一定制御時の水平線Ｇを省いているが、設計値のＱ０、Ｈ０が高層ゾーンに給水するのに必要な値となる。
【００３８】
以上のように構成したものの本実施例における具体的な実施態様について説明する。本実施例における増圧給水システムは低層、中層、高層の各増圧給水システム間において運転、停止信号を相互で送受信するように構成される。なお、本実施例においては説明の便宜のため低層、中層、高層と分けているが、低層、中層の２つの増圧給水システムでもよいし、４つ以上に分けたものであっても同様に実施可能である。
【００３９】
即ち、低層と中層間は、低層より中層へは運転信号Ｓ１１を発信し、そのアンサバック信号Ｓ１２を受信して、中層より低層へは運転信号Ｓ１３を発信し、そのアンサバック信号Ｓ１４を受信して、相互に運転又は停止信号の送受信を行う。
【００４０】
例えば低層ゾーンで水の使用があり、中層ゾーンでは水の使用がない場合は信号Ｓ１１、Ｓ１２が発信されて、低層ゾーン用増圧給水システムが前述で説明したように作動し運転する。つまり、本実施例における各ゾーンに設置された増圧ポンプは上記した通り、自身で圧力に応じた起動・停止を行うことができる構成になっていると共に起動・停止が行ったことを示す運転信号を各層間で送受信している。そして、中層ゾーンで水の使用があり、低層ゾーンでは水の使用がないに場合は、先ず中層ゾーン用増圧給水システムの自身が有している始動条件が成立して、これの増圧ポンプは運転を開始する。
【００４１】
ここで本実施例においては、この場合に低層ゾーン用増圧給水システムに運転信号Ｓ１３を発信する。そして受信した低層ゾーン用増圧給水システムはアンサバック信号Ｓ１４を発信すると共に、自身が備えている始動条件の成立如何にかかわらず、運転を開始することとしている。そして合わせて運転信号Ｓ１１を発信し、そのアンサバック信号を受信する。このように本実施例においては各ゾーンの連系（連動）運転が行われる。この理由について説明する。
【００４２】
中層で水が使われた場合、特に急激に水が使用された場合等、圧力変動が急に生じる場合、仮に下層において水が使用され増圧ポンプが起動しているときであっても、上記圧力変動により自身が備えている起動・停止条件により増圧ポンプが停止してしまうことがある。下層でその後も水が使用されている以上、再び始動条件が成立して起動することになるが、このように不必要に増圧ポンプの起動停止が繰り返されることが起こりうる。つまり、急激な圧力変動によるハンチング現象が起こる虞がある。そこで、本実施例においては、上記した通り、中層において水が使用され中層ゾーン増圧給水システムが起動した場合には、下層ゾーン増圧給水システムが自身の始動条件の成立有無に関わらず、下層ゾーン増圧給水システムの起動を行うこととしている。これにより上記したハンチング現象の防止を図ることが可能となる。
【００４３】
なお、ここでは中層と低層間について説明をしたが高層において水が使用された場合でも同様である。つまり、高層で水が使用され、高層ゾーン増圧給水システム自身の始動条件が成立した場合、高層から中層へ運転信号Ｓ２３が送られる。この運転信号Ｓ２３を受けた中層ゾーン増圧給水システムはアンサバック信号Ｓ２４を高層へ送ると共に自身が備える始動条件の成立の有無に関わらず、運転を開始する。このように上層の運転が行われた場合に下層における自身の始動条件の成立有無に関わらず運転を開始することとしている理由は上記したものと同様である。
【００４４】
なお、この場合には中層ゾーン増圧給水システムが起動することになるので、下層へ運転信号Ｓ１３が送られる。そして上記した通り、下層においてはアンサバック信号Ｓ１４を中層へ送ると共に自身の始動条件の有無に関わらず運転を開始することとなる。つまり、上層で運転が行われれば、下層においてはこれと連動して運転が開始されることとして、圧力変動に対するハンチング現象の防止を図ることとしている。
【００４５】
次に上記した実施態様に連動停止機能を付加した実施態様について説明する。  
まず中層ゾーンで水の使用があり、低層ゾーンでは水の使用がない場合は、先ず中層ゾーン用増圧給水システム自身の始動条件が成立して、これの増圧ポンプは運転を開始する。そして低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。この後、低層で水の使用がなくここの増圧給水システムの停止条件が成立していても、中層用増圧給水システムから運転停止信号のＳ１３を受信しているときは、低層用増圧給水システムは運転を継続するようにしたものである。なお、この実施形態も中層と高層についても同様に適用可能である。
【００４６】
さらに自身の始動の前に低層用を先に始動させるようにした実施態様について説明する。この場合も中層ゾーンで水の使用があり、低層ゾーンでは水の使用がない場合は、先ず中層ゾーン用増圧給水システムは始動条件が成立すると、この態様においては先ず低層ゾーン用増圧給水システムに運転停止信号Ｓ１３を発信する。そして受信した低層ゾーン用増圧給水システムはアンサバック信号Ｓ１４を発信すると共に、自身の始動条件の成立如何にかかわらず、運転を開始する。合わせて運転信号Ｓ１１を発信する。中層ゾーン用増圧給水システムは、この運転信号Ｓ１１を受信したら運転を開始しそのアンサバック信号を低層ゾーン用増圧給水システムに返信する。つまり、これによりさらに確実にゾーン増圧給水システムから運転を開始することができ、上記した圧力変動に対応可能となる。なお、この実施形態も中層と高層についても同様に適用可能である。
【００４７】
さらに、低層及び中層用増圧給水システム両方が運転している際に、低層で水の使用がなくても、中層で水使用があれば低層も運転を継続し、中層が、水使用がなく停止したら続いて低層も停止する態様について説明する。  
つまり、中層ゾーンで水の使用があり、低層ゾーンでは水の使用がない場合は、先ず中層ゾーン用増圧給水システムの始動条件が成立して、これの増圧ポンプは運転を開始するとともに、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。この後、低層で水の使用がなくここの増圧給水システムの停止条件が成立していても、中層用増圧給水システムから運転停止信号のＳ１３を受信しているときは、低層用増圧給水システムは運転を継続し、前記中層用増圧給水システムは、水使用がなく停止条件が成立したら停止して運転信号のＳ１３を解除する。これによって、低層用増圧給水システムは運転を停止する。なお、高層やさらに上層がある場合に対しても同様に適用可能である。つまり、上層から運転信号を受信している場合に自身の停止条件が成立した場合であっても停止は行わず、上層から運転信号Ｓ１３が解除された場合に初めて停止する。これによりさらに圧力変動に対して、増圧給水システムの運転停止が繰り返されることを防止可能である。
【００４８】
さらに上記した態様を組み合わせることも有効である。  
つまり、低層ゾーンで水の使用があり、中層ゾーンでは水の使用がない場合は信号Ｓ１１、Ｓ１２が発信されて、低層ゾーン用増圧給水システムが前述で説明したように作動し運転する。中層ゾーンで水の使用があり、低層ゾーンでは水の使用がない場合は、先ず中層ゾーン用増圧給水システムの始動条件が成立して、これの増圧ポンプは運転を開始するとともに、低層ゾーン用増圧給水システムに運転停止信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。
【００４９】
そしてこの態様においてはこの後、低層で水の使用がなくここの増圧給水システムの停止条件が成立していても、中層用増圧給水システムから運転停止信号のＳ１３を受信しているときは、低層用増圧給水システムは運転を継続し、前記中層用増圧給水システは、水使用がなく停止条件が成立したら停止して運転停止信号のＳ１３を解除する。これによって、低層用増圧給水システムは運転を停止する。
【００５０】
さらに以下のように上記した態様を組み合わせることも可能である。
つまり、中層ゾーンで水の使用があり、低層ゾーンでは水の使用がない場合は、先ず中層ゾーン用増圧給水システムは始動条件が成立すると、低層ゾーン用増圧給水システムに運転停止信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信する。中層ゾーン用増圧給水システムは、この運転信号Ｓ１１を受信したら運転を開始しそのアンサバック信号を低層ゾーン用増圧給水システムに返信する。
【００５１】
そしてこの後、低層で水の使用がなくここの増圧給水システムの停止条件が成立していても、中層用増圧給水システムから運転停止信号のＳ１３を受信しているときは、低層用増圧給水システムは運転を継続し、前記中層用増圧給水システは、水使用がなく停止条件が成立したら停止して運転停止信号のＳ１３を解除する。これによって、低層用増圧給水システムは運転を停止する。
【００５２】
さらに本実施例における一実施態様について説明する。  
高層ゾーンで水の使用があり、中及び低層ゾーンでの水の使用如何にかかわらず、先ず高層ゾーン用増圧給水システムは始動条件が成立すると、中層ゾーン用増圧給水システムに運転信号Ｓ２３を発信する。受信した中層ゾーン用増圧給水システムはアンサバック信号Ｓ２４を発信すると共に低層ゾーン用増圧給水システムに運転信号Ｓ１３を発信する。受信した低層ゾーン用増圧給水システムはアンサバック信号Ｓ１４を発信すると共に自身の始動条件の成立如何にかかわらず、運転を開始する。合わせて運転信号Ｓ１１を発信する。中層ゾーン用増圧給水システムは、この運転信号Ｓ１１を受信したら始動条件の成立如何にかかわらず運転を開始し運転信号Ｓ２１を高層ゾーン用増圧給水システムに発信し、そのアンサバック信号Ｓ１２を低層ゾーン用増圧給水システムに返信する。高層ゾーン用増圧給水システムは運転停止信号Ｓ２１を受信したら運転を開始すると共にアンサバック信号Ｓ２２を発信する。この後、高層に水使用があってここの増圧給水システムが運転しているときは、中層、低層に水の使用がなく停止条件の成立如何にかかわらず運転を継続する。
【００５３】
さらに本実施例における一実施形態について説明する。  
高層ゾーンで水の使用があり、中及び低層ゾーンでの水の使用如何にかかわらず、先ず高層ゾーン用増圧給水システムは始動条件が成立すると、中層ゾーン用増圧給水システムに運転停止信号Ｓ２３を発信する。受信した中層ゾーン用増圧給水システムはアンサバック信号Ｓ２４を発信すると共に低層ゾーン用増圧給水システムに運転停止信号Ｓ１３を発信する。受信した低層ゾーン用増圧給水システムはアンサバック信号Ｓ１４を発信すると共に自身の始動条件の成立如何にかかわらず、運転を開始する。合わせて運転信号Ｓ１１を発信する。中層ゾーン用増圧給水システムは、この運転信号Ｓ１１を受信したら始動条件の成立遺憾にかかわらず運転を開始し運転停止信号Ｓ２１を高層ゾーン用増圧給水システムに発信し、そのアンサバック信号Ｓ１２を低層ゾーン用増圧給水システムに返信する。高層ゾーン用増圧給水システムは、運転停止信号Ｓ２１を受信したら運転を開始すると共にアンサバック信号Ｓ２２を発信する。この後、高層に水使用があってここの増圧給水システムが運転しているときは、中層、低層に水の使用がなく停止条件の成立如何にかかわらず運転を継続する。
【００５４】
そして高層ゾーンで水の使用がなくなり停止条件が成立したら、高層ゾーン用増圧給水システムは停止する。停止と共に運転停止信号Ｓ２３を解除する。このとき、低層は水の使用がなく停止条件成立如何にかかわらず、中層からの運転停止信号Ｓ１３が発信されていれば運転を継続する。中層ゾーンで水の使用がなくなり停止条件が成立したら、中層ゾーン用増圧給水システムは停止する。停止と共に運転停止信号Ｓ１３を解除する。低層用増圧給水システムはこの運転停止信号Ｓ１３の解除により、停止条件が成立したら停止する。
【００５５】
さらに本実施例における一実施態様について説明する。  
自身が最下位の増圧給水システムではない場合、自身の始動条件より先に成立する下位増圧給水システムに始動指令を発信する圧力ヘッドパラメータを設けたものである。例えば、中層においては、図６の吐き出し側ポンプ運転特性図において中層用増圧給水システムの増圧ポンプ始動圧力ヘッドＰＯＮより数ｍ高く低層用増圧給水システムの増圧ポンプ始動圧力ヘッドＰＯＮＨを設ける。こうして、中層用の給水圧力ヘッドが始動条件となる前に、低層用の始動条件となる。そこで、中層より低層に運転停止信号Ｓ１３を発信する。これを受信した低層用はアンサバック信号Ｓ１４を返信すると共に自己の始動条件の成立如何によらず運転を開始し、運転停止信号Ｓ１２を発信する。
【００５６】
同様に、図７の吐き出し側ポンプ運転特性図において高層用増圧給水システムの増圧ポンプ始動圧力ヘッドＰＯＮより数ｍ高く中層用増圧給水システムの増圧ポンプ始動圧力ヘッドＰＯＮＨを設ける。こうして、高層用の給水圧力ヘッドが始動条件となる前に、中層用の始動条件となる。そこで、高層より中層に運転停止信号Ｓ２３を発信する。これを受信した中層用はアンサバック信号Ｓ２４を返信すると共に自己の始動条件の成立如何によらず運転を開始し、運転停止信号Ｓ２２を発信する。
【００５７】
またその他の実施形態として、タイマーを設けてもよい。たとえば始動条件が成立したらこのタイマーを計時開始しタイムアップで増圧ポンプを始動するようにする。低層及び中層で水の使用がなく、高層で水の使用がありここの始動条件が成立したら、高層用増圧給水システムはタイマーの計時を開始すると共に中層に運転停止信号Ｓ２３を発信する。これを受信した中層は始動条件成立如何にかかわらず、始動するためにタイマーの計時を開始すると共に低層に運転停止信号Ｓ１３を発信する。これを受信した低層用は始動条件成立如何にかかわらず、始動するためにタイマーの計時を開始する。これらのタイマーを例えば、高層を５秒、中層を３秒、低層を０秒と設定しておくと、低層が運転開始し、３秒後に中層、５秒後に高層というように順番に運転を開始していく。
【００５８】
さらに本実施例における一実施態様について説明する。  
本実施態様では低層ゾーンから高層ゾーン用増圧給水システムまでが複数運転中は、最上位の増圧給水システムは使用量変動に伴う可変速運転を行い、これより下位の増圧給水システムは最高速固定運転を行うようにしたものである。
【００５９】
例えば、低層及び中層で水の使用がなく、高層で水の使用がありここの始動条件が成立したら、高層用増圧給水システムは上位からの運転停止信号がないので、図７に示す圧力制御運転を行い、中層に運転停止信号Ｓ２３を発信する。これを受信した中層は始動条件成立如何にかかわらず、低層に運転停止信号Ｓ１３を発信する。これを受信した低層用は始動条件成立如何にかかわらず、インバータによる最高速度で運転し、中層に運転停止信号Ｓ１２を発信する。これを受信した中層はインバータによる最高速度で運転する。
【００６０】
以上説明した通り、本実施例によれば一部のゾーンや局所で短時間に集中した水の使用があった場合、連系運転を行い、全体システムとしての協調性を持たせることができる。そして一部のゾーンや局所において、給水圧力低下等の問題が生じた場合であっても、低層用、中層用、高層用それぞれで始動停止のハンチング現象を起こすことを防止することができる。
【００６１】
そして一部のゾーンや局所において、給水圧力低下等の問題を解消すると共に各増圧給水システム間の安定で信頼性の高い連系運転システムを構築することが可能となる。
【実施例２】
【００６２】
以下、本発明の実施例２について説明する。  
しかし、考えられる低層ゾーン用を複数台並列設置し、中層以上を直列設置した増圧直結給水システムには、例えば低層ゾーン（複数台並列設置）、中層ゾーン、高層ゾーン毎に分けられた各増圧給水システムが独立して作動しているため、一部のゾーンや局所で短時間に集中した水の使用があった場合、連系運転ができず全体システムとしての協調性に欠け一部のゾーンや局所において、給水圧力低下等の問題が生じる恐れがある。協調性が欠けると低層用、中層用、高層用それぞれが始動停止のハンチング現象を起こす恐れがある。
【００６３】
本実施例は図１の中高層建物用増圧給水システムのシステム系統図と基本的な構成は同一である。しかし、ここで図示していないが本実施例における水道配水管に直結される増圧ポンプは大給水量に対応するため並列設置されている。これにより低層ゾーン需要端として水栓５−１ａ、５−１ｂ、５−１ｃだけでなく、５−２ａ、５−２ｂ、５−２ｃなど大量の水を給水する必要がある場合にも対応することが可能となる。したがって、図示していないものの水道配水管枝管２は例えば２−１と２−２とに分岐されてそれぞれの増水ポンプ４−１と４−２に本管直結されることになる。
【００６４】
ここで実施例１と同様に低層増圧給水システム４(４−１、４−２)と中層増圧給水システム６間は、低層増圧給水システム４−１や４−２が運転している状態を示す運転信号Ｓ１１（１号機用）、Ｓ１５（２号機用）が中層増圧給水システム６に送られ、これのアンサバック信号Ｓ１２（１号機用）、Ｓ１６（２号機用）が送られる。また、中層増圧給水システム６が運転している状態を示す運転信号Ｓ１３（１号機）、Ｓ１７（２号機）、これのアンサバック信号Ｓ１４（１号機）、Ｓ１８（２号機）とが同様に送受信される。そして実施例１と同様に、中層、高層増圧給水システム間は、中層増圧給水システムが運転している状態を示す運転信号Ｓ２１、これのアンサバック信号２２と、高層増圧給水システムが運転している状態を示す運転信号Ｓ２３、これのアンサバック信号２４とが送受信される。これらの信号が相互に送受信され連系運転システムを構築することにより、急激な圧力変動があった場合であっても、ハンチング現象を起こすことなく安定した給水を行うことが可能となる。尚、これらの信号は通信を用いても良いし、無線でも良い。
【００６５】
以上のように構成したものの各実施態様について説明する。  
本実施例の一実施態様では、前述したように低層ゾーン用は増圧給水システムを並列設置し、各増圧給水システム間を運転信号を相互で送受信するよう即ち、低層と中層間は、低層より中層へは運転信号Ｓ１１を発信し、そのアンサバック信号Ｓ１２を受信して、中層より低層へは運転信号Ｓ１３を発信し、そのアンサバック信号Ｓ１４を受信して、相互に信号の送受信を行う。  
そして低層ゾーンで水の使用があり、中層ゾーンでは水の使用がない場合は信号Ｓ１１、Ｓ１２が発信されて、低層ゾーン用増圧給水システムが前述で説明したように作動し運転する。中層ゾーンで水の使用があり、低層ゾーンでは水の使用がない場合は、先ず中層ゾーン用増圧給水システムの始動条件が成立して、これの増圧ポンプは運転を開始するとともに、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。このようして連系（連動）運転する。
【００６６】
本実施例の別実施態様では、上記実施態様に連動停止機能を付加したものである。つまり、低層ゾーン用は増圧給水システムを並列設置し、中層ゾーンで水の使用があり、低層ゾーンでは水の使用がない場合は、先ず中層ゾーン用増圧給水システムの始動条件が成立して、これの増圧ポンプは運転を開始するとともに、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。この後、低層で水の使用がなくここの増圧給水システムの停止条件が成立していても、中層用増圧給水システムから運転信号のＳ１３を受信しているときは、低層用増圧給水システムは運転を継続するようにしたものである。このようして連系（連動）運転する。
【００６７】
さらに本実施例の別の実施態様では、上記実施態様に自身の始動の前に低層用を先に始動させるようにしたものである。つまり、低層ゾーン用は増圧給水システムを並列設置し、中層ゾーンで水の使用があり、低層ゾーンでは水の使用がない場合は、先ず中層ゾーン用増圧給水システムは始動条件が成立すると、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信する。中層ゾーン用増圧給水システムは、この運転信号Ｓ１１を受信したら運転を開始しそのアンサバック信号を低層ゾーン用増圧給水システムに返信する。
【００６８】
さらに本実施例の別の実施態様では、上記実施態様に低層及び中層用増圧給水システム両方が運転している際に、低層ゾーン用は増圧給水システムを並列設置し、低層で水の使用がなくても、中層で水使用があれば低層も運転を継続し、中層が、水使用がなく停止したら続いて低層も停止するようにしたものである。即ち、中層ゾーンで水の使用があり、低層ゾーンでは水の使用がない場合は、先ず中層ゾーン用増圧給水システムの始動条件が成立して、これの増圧ポンプは運転を開始するとともに、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。この後、低層で水の使用がなくここの増圧給水システムの停止条件が成立していても、中層用増圧給水システムから運転信号のＳ１３を受信しているときは、低層用増圧給水システムは運転を継続し、前記中層用増圧給水システは、水使用がなく停止条件が成立したら停止して運転信号のＳ１３を解除する。これによって、低層用増圧給水システムは運転を停止する。
【００６９】
さらに本実施例の別の実施態様は上記実施態様を組み合わせたものである。  
低層ゾーン用は増圧給水システムを並列設置し、低層ゾーンで水の使用があり、中層ゾーンでは水の使用がない場合は信号Ｓ１１、Ｓ１２が発信されて、低層ゾーン用増圧給水システムが前述で説明したように作動し運転する。中層ゾーンで水の使用があり、低層ゾーンでは水の使用がない場合は、先ず中層ゾーン用増圧給水システムの始動条件が成立して、これの増圧ポンプは運転を開始するとともに、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信し、そのアンサバック信号を受信する。  
この後、低層で水の使用がなくここの増圧給水システムの停止条件が成立していても、中層用増圧給水システムから運転信号のＳ１３を受信しているときは、低層用増圧給水システムは運転を継続し、前記中層用増圧給水システは、水使用がなく停止条件が成立したら停止して運転信号のＳ１３を解除する。これによって、低層用増圧給水システムは運転を停止する。
【００７０】
さらに本実施例の別の実施態様は、上記実施態様を組み合わせたものである。  
低層ゾーン用は増圧給水システムを並列設置し、中層ゾーンで水の使用があり、低層ゾーンでは水の使用がない場合は、先ず中層ゾーン用増圧給水システムは始動条件が成立すると、低層ゾーン用増圧給水システムに運転信号Ｓ１３を発信する。受信した低層ゾーン用増圧給水システムはアンサバック信号Ｓ１４を発信すると共に、自身の始動条件の成立如何にかかわらず、運転を開始する。合わせて運転信号Ｓ１１を発信する。中層ゾーン用増圧給水システムは、この運転信号Ｓ１１を受信したら運転を開始しそのアンサバック信号を低層ゾーン用増圧給水システムに返信する。  
この後、低層で水の使用がなくここの増圧給水システムの停止条件が成立していても、中層用増圧給水システムから運転信号のＳ１３を受信しているときは、低層用増圧給水システムは運転を継続し、前記中層用増圧給水システは、水使用がなく停止条件が成立したら停止して運転信号のＳ１３を解除する。これによって、低層用増圧給水システムは運転を停止する。
【００７１】
さらに本実施例の別の実施態様は、低層ゾーン用は増圧給水システムを並列設置し、高層ゾーンで水の使用があり、中及び低層ゾーンでの水の使用如何にかかわらず、先ず高層ゾーン用増圧給水システムは始動条件が成立すると、中層ゾーン用増圧給水システムに運転信号Ｓ２３を発信する。受信した中層ゾーン用増圧給水システムはアンサバック信号Ｓ２４を発信すると共に低層ゾーン用増圧給水システムに運転信号Ｓ１３を発信する。受信した低層ゾーン用増圧給水システムはアンサバック信号Ｓ１４を発信すると共に自身の始動条件の成立如何にかかわらず、運転を開始する。合わせて運転信号Ｓ１１を発信する。中層ゾーン用増圧給水システムは、この運転信号Ｓ１１を受信したら始動条件の成立遺憾にかかわらず運転を開始し運転信号Ｓ２１を高層ゾーン用増圧給水システムに発信し、そのアンサバック信号Ｓ１２を低層ゾーン用増圧給水システムに返信する。高層ゾーン用増圧給水システムは、運転信号Ｓ２１を受信したら運転を開始すると共にアンサバック信号Ｓ２２を発信する。この後、高層に水使用があってここの増圧給水システムが運転しているときは、中層、低層に水の使用がなく停止条件の成立如何にかかわらず運転を継続する。
【００７２】
さらに本実施例の別の実施態様では、低層ゾーン用は増圧給水システムを並列設置し、高層ゾーンで水の使用があり、中及び低層ゾーンでの水の使用如何にかかわらず、先ず高層ゾーン用増圧給水システムは始動条件が成立すると、中層ゾーン用増圧給水システムに運転信号Ｓ２３を発信する。受信した中層ゾーン用増圧給水システムはアンサバック信号Ｓ２４を発信すると共に低層ゾーン用増圧給水システムに運転信号Ｓ１３を発信する。受信した低層ゾーン用増圧給水システムはアンサバック信号Ｓ１４を発信すると共に自身の始動条件の成立如何にかかわらず、運転を開始する。合わせて運転信号Ｓ１１を発信する。中層ゾーン用増圧給水システムは、この運転信号Ｓ１１を受信したら始動条件の成立遺憾にかかわらず運転を開始し運転信号Ｓ２１を高層ゾーン用増圧給水システムに発信し、そのアンサバック信号Ｓ１２を低層ゾーン用増圧給水システムに返信する。高層ゾーン用増圧給水システムは、運転信号Ｓ２１を受信したら運転を開始すると共にアンサバック信号Ｓ２２を発信する。この後、高層に水使用があってここの増圧給水システムが運転しているときは、中層、低層に水の使用がなく停止条件の成立如何にかかわらず運転を継続する。  
高層ゾーンで水の使用がなくなり停止条件が成立したら、高層ゾーン用増圧給水システムは停止する。停止と共に運転信号Ｓ２３を解除する。このとき、低層は水の使用がなく停止条件成立如何にかかわらず、中層からの運転信号Ｓ１３が発信されていれば運転を継続する。中層ゾーンで水の使用がなくなり停止条件が成立したら、中層ゾーン用増圧給水システムは停止する。停止と共に運転信号Ｓ１３を解除する。低層用増圧給水システムはこの運転信号Ｓ１３の解除により、停止条件が成立したら停止する。
【００７３】
さらに本実施例の別の実施態様では、自身が最下位の増圧給水システムではない場合、自身の始動条件より先に成立する下位増圧給水システムに始動指令を発信する圧力ヘッドパラメータを設けたものである。例えば、中層においては、図６吐き出し側ポンプ運転特性図において中層用増圧給水システムの増圧ポンプ始動圧力ヘッドＰＯＮより数ｍ高く低層用増圧給水システムの増圧ポンプ始動圧力ヘッドＰＯＮＨを設ける。こうして、中層用の給水圧力ヘッドが始動条件となる前に、低層用の始動条件となる。そこで、中層より低層に運転信号Ｓ１３を発信する。これを受信した低層用はアンサバック信号Ｓ１４を返信すると共に自己の始動条件の成立の如何によらず運転を開始し、運転信号Ｓ１２を発信する。同様に、図７吐き出し側ポンプ運転特性図において高層用増圧給水システムの増圧ポンプ始動圧力ヘッドＰＯＮより数ｍ高く中層用増圧給水システムの増圧ポンプ始動圧力ヘッドＰＯＮＨを設ける。こうして、高層用の給水圧力ヘッドが始動条件となる前に、中層用の始動条件となる。そこで、高層より中層に運転信号Ｓ２３を発信する。これを受信した中層用はアンサバック信号Ｓ２４を返信すると共に自己の始動条件の成立の如何によらず運転を開始し、運転信号Ｓ２２を発信する。
【００７４】
別の実施例として、タイマーを設ける。たとえば始動条件が成立したらこのタイマーを計時開始しタイムアップで増圧ポンプを始動するようにする。低層及び中層で水の使用がなく、高層で水の使用がありここの始動条件が成立したら、高層用増圧給水システムはタイマーの計時を開始すると共に中層に運転信号Ｓ２３を発信する。これを受信した中層は始動条件成立如何にかかわらず、始動するためにタイマーの計時を開始すると共に低層に運転信号Ｓ１３を発信する。これを受信した低層用は始動条件成立如何にかかわらず、始動するためにタイマーの計時を開始する。これらのタイマーを例えば、高層を５秒、中層を３秒、低層を０秒と設定しておくと、低層が運転開始し、３秒後に中層、５秒後に高層というように順番に運転を開始していく。
【００７５】
さらに本実施例の別の実施態様は、本実施態様では低層ゾーンから高層ゾーン用増圧給水システムまでが複数運転中は、最上位の増圧給水システムは使用量変動に伴う可変速運転を行い、これより下位の増圧給水システムは最高速固定運転を行うようにしたものである。例えば、低層及び中層で水の使用がなく、高層で水の使用がありここの始動条件が成立したら、高層用増圧給水システムは上位からの運転信号がないので、図７に示す圧力制御運転を行い、中層に運転信号Ｓ２３を発信する。これを受信した中層は始動条件成立如何にかかわらず、低層に運転信号Ｓ１３を発信する。これを受信した低層用は始動条件成立如何にかかわらず、インバータによる最高速度で運転し、中層に運転信号Ｓ１２を発信する。これを受信した中層はインバータによる最高速度で運転する。
【００７６】
以上説明した通り、本実施例の実施形態によれば、一部のゾーンや局所で短時間に集中した水の使用があった場合、連系運転ができず全体システムとしての協調性を有し、一部のゾーンや局所において、給水圧力低下等の問題が生じることを防止することができる。そしてこれにより低層用、中層用、高層用それぞれが始動停止のハンチング現象を起こすことを防止できる。
【符号の説明】
【００７７】
１…水道配水管、２…水道配水管枝管、３…量水計３、４…増圧ポンプ、５…送水管５、５ａ〜５ｃ…水栓、６…増圧ポンプ、８…増圧ポンプ、９…送水管、９ａ〜９ｃ…水栓。
【図１】
2010174521.tif 000003
【図２】
2010174521.tif 000004
【図３】
2010174521.tif 000005
【図４】
2010174521.tif 000006
【図５】
2010174521.tif 000007
【図６】
2010174521.tif 000008
【図７】
2010174521.tif 000009